(57)【要約】【課題】複数の商品を分包する際に、意匠性良くかつ機能的な分包を可能とし、また、陳列する場所を選ぶことなく、様々な陳列状況に対応可能な、自立性を有する包装体を提供する。【解決手段】２以上の包装体を一列に連結した連結部を有する連続包装体を形成し、該連続包装体の両端部分をさらに連結してなる環状包装体であって、該環状包装体の前記連結部分を含む面、もしくは前記包装体の表面、もしくは前記環状包装体の側面部分を、起立面としたことを特徴とする、自立可能な包装体である。【選択図】図１
2008018994.tif 000002
【特許請求の範囲】
【請求項１】
２以上の包装体を一列に連結した連結部を有する連続包装体を形成し、該連続包装体の両端部分をさらに連結してなる環状包装体であって、該環状包装体の前記連結部分を含む面、若しくは前記包装体の表面、若しくは前記環状包装体の側面部分を、起立面としたことを特徴とする、自立可能な包装体。
【請求項２】
前記包装体は、該包装体の少なくとも上下部分をそれぞれシールしてなるシール部を有する袋体であって、２以上の前記袋体の前記シール部を一列に連結した連結部を有する連続包装体を形成し、該連続包装体の両端部分のシール部をさらに連結してなる環状包装体であって、該環状包装体の前記連結部分を含む面、若しくは前記包装体の表面、若しくは前記環状包装体の側面部分を、起立面としたことを特徴とする、請求項１記載の自立可能な包装体。
【請求項３】
前記連結部は、１の前記包装体と、他の前記包装体との、両端部分の面同士を貼り合せた面結合の連結部、もしくは、１の前記包装体と、他の前記包装体との、両端部分の辺同士を接合した線結合の連結部であることを特徴とする、請求項１乃至２記載の自立可能な包装体。
【請求項４】
前記連結部は、前記包装体間に挿入した面であることを特徴とする、請求項１乃至３記載の自立可能な包装体。
【請求項５】
２つの前記包装体を連結してなる前記環状包装体であって、側面視において、２つの前記包装体の表面と、２つの前記連結部を含む面と、の４辺からなる略四角形状の環状包装体、もしくは、２つの前記包装体の表面と、１つの前記連結部を含む面と、の３辺からなる略三角形状の環状包装体を形成したことを特徴とする、請求項１乃至４記載の自立可能な包装体。
【請求項６】
３つの前記包装体を連結してなる前記環状包装体であって、側面視において、３つの前記包装体の表面と、１つの前記連結部を含む面と、の４辺からなる略四角形状の環状包装体、もしくは、３つの前記包装体の表面の３辺からなる略三角形状の環状包装体を形成したことを特徴とする、請求項１乃至４記載の自立可能な包装体。
【請求項７】
４つの前記包装体を連結してなる前記環状包装体であって、側面視において、４つの前記包装体の表面の４辺からなる略四角形状の環状包装体を形成したことを特徴とする、請求項１乃至４記載の自立可能な包装体。
【請求項８】
複数の前記包装体に施した印刷の向きを、前記包装体によって異ならせたことを特徴とする、請求項１乃至７記載の自立可能な包装体。
【発明の詳細な説明】
【技術分野】
【０００１】
本発明は、内容物を小分けして包装してなる包装体を複数個連結してなる包装体に関し、包装体が自立して見栄えが良く、商品の前後両方を印刷の施された表面とすることが可能な、意匠性の高い自立可能な包装体に関する。
【背景技術】
【０００２】
従来、菓子類や冷凍食品、生鮮食品など、必要量に応じた小分けの包装体が、多数セットで売られている場合がある。例えば、ハムやウインナーを数パックまとめてテープ等で巻いたものや、１パックの菓子を縦方向に複数連結したものを、その上端にフック等を引っ掛けたものなどである。特に、近年は少子高齢化や単身世帯の増加による「個食化」が進んでおり、食品等をこのように分包した状態で提供することができることは、消費者にとって利便性の高いものである。また、分包する内容物を異ならせることにより、様々な種類の内容物を同時に提供することが可能であるため、売り手側にも買い手側にも便利なものである（例えば特許文献１）。
【０００３】
しかし、このように食品等を分包販売する場合、前述のように複数の商品をテープで巻いたり、或いは、図１８（ａ）に示すように、複数の商品が縦方向に繋がった状態のものをフックにぶら下げて販売しているため、図１８（ｂ）に示すように、陳列状態が限られる、また、一旦手に取った商品を元に戻した際に包装体の裏面が表示されてしまう場合があり、商品の見栄えが良くない等の問題がある。
【０００４】
また、通常、複数の商品を陳列する際には、手前から奥方へと順番に並べていくことにより、自立性のない袋体などの商品を多数陳列する方法が一般的である。しかし、商品が減っていくにつれ、図１９に示すように、商品が傾く、或いは商品が倒れてしまい、陳列の見た目が良くない、商品のイメージを損ねてしまう等の問題がある。
【０００５】
【特許文献１】特開２００２−２２３号公報
【発明の開示】
【発明が解決しようとする課題】
【０００６】
本発明は、このような問題点を解決するためになされたものであり、その課題は、主に、複数の商品を分包する際に、意匠性良くかつ機能的に分包可能とし、また、陳列する場所を選ぶことなく、様々な陳列状況においても対応可能な、自立性を有する包装体を提供することである。
【課題を解決するための手段】
【０００７】
そこで、これらの課題を解決するため、本発明の請求項１記載の発明は、２以上の包装体を一列に連結した連結部を有する連続包装体を形成し、該連続包装体の両端部分をさらに連結してなる環状包装体であって、該環状包装体の前記連結部分を含む面、もしくは前記包装体の表面、もしくは前記環状包装体の側面部分を、起立面としたことを特徴とする、自立可能な包装体である。
【０００８】
また、本発明の請求項２記載の発明は、前記包装体は、該包装体の少なくとも上下部分をそれぞれシールしてなるシール部を有する袋体であって、２以上の前記袋体の前記シール部を一列に連結した連結部を有する連続包装体を形成し、該連続包装体の両端部分のシール部をさらに連結してなる環状包装体であって、該環状包装体の前記連結部分を含む面、もしくは前記包装体の表面、もしくは前記環状包装体の側面部分を、起立面としたことを特徴とする、自立可能な包装体である。
【０００９】
また、本発明の請求項３記載の発明は、前記連結部は、１の前記包装体と、他の前記包装体との、両端部分の面同士を貼り合せた面結合の連結部、もしくは、１の前記包装体と、他の前記包装体との、両端部分の辺同士を接合した線結合の連結部であることを特徴とする、自立可能な包装体である。
【００１０】
また、本発明の請求項４記載の発明は、前記連結部は、前記包装体間に挿入した面であることを特徴とする、自立可能な包装体である。
【００１１】
また、本発明の請求項５記載の発明は、２つの前記包装体を連結してなる前記環状包装体であって、側面視において、２つの前記包装体の表面と、２つの前記連結部を含む面と、の４辺からなる略四角形状の環状包装体、もしくは、２つの前記包装体の表面と、１つの前記連結部を含む面と、の３辺からなる略三角形状の環状包装体を形成したことを特徴とする、自立可能な包装体である。
【００１２】
また、本発明の請求項６記載の発明は、３つの前記包装体を連結してなる前記環状包装体であって、側面視において、３つの前記包装体の表面と、１つの前記連結部を含む面と、の４辺からなる略四角形状の環状包装体、もしくは、３つの前記包装体の表面の３辺からなる略三角形状の環状包装体を形成したことを特徴とする、自立可能な包装体である。
【００１３】
また、本発明の請求項７記載の発明は、４つの前記包装体を連結してなる前記環状包装体であって、側面視において、４つの前記包装体の表面の４辺からなる略四角形状の環状包装体を形成したことを特徴とする、自立可能な包装体である。
【００１４】
また、本発明の請求項８記載の発明は、複数の前記包装体に施した印刷の向きを、前記包装体によって異ならせたことを特徴とする、自立可能な包装体である。
【発明の効果】
【００１５】
本発明の請求項１記載の発明は、２以上の包装体を一列に連結した連結部を有する連続包装体を形成し、該連続包装体の両端部分をさらに連結してなる環状包装体であって、該環状包装体の前記連結部分を含む面、もしくは前記包装体の表面、もしくは前記環状包装体の側面部分を、起立面としたことを特徴とするから、縦方向にも横方向にも自立可能な包装体を提供することができる。よって、様々な陳列環境にも対応可能であり、さらには、包装体の前後上下面にそれぞれ印刷を施すことができ、意匠性の高い包装体を提供することが可能である。
【００１６】
また、本発明の請求項２記載の発明は、前記包装体は、該包装体の少なくとも上下部分をそれぞれシールしてなるシール部を有する袋体であって、２以上の前記袋体の前記シール部を一列に連結した連結部を有する連続包装体を形成し、該連続包装体の両端部分のシール部をさらに連結してなる環状包装体であって、該環状包装体の前記連結部分を含む面、もしくは前記包装体の表面、もしくは前記環状包装体の側面部分を、起立面としたことを特徴とするから、軟包装体などの袋体であっても、縦方向にも横方向にも自立可能な包装体を提供することができる。よって、様々な陳列環境にも対応可能であり、さらには、意匠性の高い包装体を提供することが可能である。
【００１７】
また、本発明の請求項３記載の発明は、前記連結部は、１の前記包装体と、他の前記包装体との、両端部分の面同士を貼り合せた面結合の連結部、もしくは、１の前記包装体と、他の前記包装体との、両端部分の辺同士を接合した線結合の連結部であることを特徴とするから、様々な形状の包装体であっても、簡単な手段により連結部を形成することが可能である。
【００１８】
また、本発明の請求項４記載の発明は、前記連結部は、前記包装体間に挿入した面であることを特徴とするから、様々な形状の包装体であっても、簡単な手段により連結部を形成することが可能である。
【００１９】
また、本発明の請求項５記載の発明は、２つの前記包装体を連結してなる前記環状包装体であって、側面視において、２つの前記包装体の表面と、２つの前記連結部を含む面と、の４辺からなる略四角形状の環状包装体、もしくは、２つの前記包装体の表面と、１つの前記連結部を含む面と、の３辺からなる略三角形状の環状包装体を形成したことを特徴とするから、２つの包装体からなる、意匠性に優れかつ自立可能な包装体を提供することが可能である。
【００２０】
また、本発明の請求項６記載の発明は、３つの前記包装体を連結してなる前記環状包装体であって、側面視において、３つの前記包装体の表面と、１つの前記連結部を含む面と、の４辺からなる略四角形状の環状包装体、もしくは、３つの前記包装体の表面の３辺からなる略三角形状の環状包装体を形成したことを特徴とするから、３つの包装体からなる、意匠性に優れかつ自立可能な包装体を提供することが可能である。
【００２１】
また、本発明の請求項７記載の発明は、４つの前記包装体を連結してなる前記環状包装体であって、側面視において、４つの前記包装体の表面の４辺からなる略四角形状の環状包装体を形成したことを特徴とするから、４つの包装体から、意匠性に優れかつ自立可能な包装体を提供することが可能である。
【００２２】
また、本発明の請求項８記載の発明は、複数の前記包装体に施した印刷の向きを、前記包装体によって異ならせたことを特徴とするから、包装体の自立方向によらず、常に印刷の向きを任意の方向に設定することが可能である。
【発明を実施するための最良の形態】
【００２３】
本発明に係る自立可能な包装体６０は、例えば、図１に示すように、２つのガゼットタイプの袋体１０、２０を、それぞれ連結部Ｔにおいて連結することにより、空洞を有する１つの環状の包装体６０からなる環状包装体６０を形成して、該環状包装体６０の前記連結部Ｔを含む面、若しくは、後述する、包装体１０、２０の表面、または前記環状包装体６０の側面部分を起立面として、自立可能な包装体６０を形成したものである。
【００２４】
特に、前記連結部Ｔの連結方法により、後述する、三角形状のトライアングル型（トライアングルＴＲ）や、四角形状のキューブ型（キューブＣＢ）などの、様々な形状の自立可能な包装体６０とすることが可能であり、優れた意匠性、分包性、ディスプレイ性を奏する包装体６０を提供することが可能である。
【００２５】
まず、本発明の包装体６０を構成する個々の包装体１０について説明する。図２は、包装体１０の一例としての、背シールしたピロータイプの包装体１０を示す。そして、図２（ａ）は包装体１０の表面１を示し、図２（ｂ）は包装体１０の裏面２を示す。
包装体１０は、表面１と裏面２にそれぞれ印刷が施されており、主に表面１は、商品の宣伝や購入意欲を増すことを目的とした印刷「Ａ」が施され、裏面２は、商品の成分表示や賞味期限などの情報を示す印刷「ａ」が施されている。また、ピロータイプやガゼットタイプの装体１０を作製する際に、フィルムの端部を貼り合せた背面シール４を有しており、見た目上、この背面シール４を有する面を商品の裏面２とする場合が多い。
以降の各図面において、包装体１０の表面１および裏面２に表示されたアルファベットは、表面１には大文字「Ａ」が、裏面２には表面１の大文字に対応した小文字「ａ」が示されている。
【００２６】
このような包装体１０としては、包装体１０の両端部分である、上端および下端をそれぞれヒートシール（熱接着）してなるシール部ａ、ｂを有するピロータイプの袋体１０や、前記ガゼットタイプの袋体、さらには後述する商品をプラスチックカバーにより覆いかつ板状の紙に貼りつけた包装体１００等が挙げられる。
【００２７】
包装体１０の両端部分のシール部ａ、ｂを除く、中央部分には、内容物を収容する未シール部分からなる収容部３が形成されており、該収容部３は上下のシール部ａ、ｂと、前記背面シール部４とにより密封されている。
ここで、上下のシール部とは、表面１に施された印刷の向きに対応しており、縦方向に印刷が施される場合、印刷の上方に上シール部ａ、印刷の下方に下シール部ｂとし、横方向に印刷が施される場合、印刷の左側を上シール部ａ、印刷の右側を下シール部ｂとして、以下の説明を行なうものである。
【００２８】
包装体１０の前記収容部３に収容するための内容物としては、菓子類や冷凍食品などの食料品、さらには、衣料品や日用品など、幅広い種類の内容物を収容可能である。そして、包装体１０を開封する際には、表面をつまむとともに、裏面の背貼りシール４をつまみ、これらを引き離すことにより、シール部ａ若しくはシール部ｂが引き裂かれて開口を形成し包装体１０を開封する方法、または、シール部に、図示しない、ノッチ（切り口）を形成して、該ノッチ部分からフィルムを縦（又は横）方向へとカットして開封する方法、さらには、包装体１０の一部または全面に微細な貫通孔(または未貫通孔)の処理を施すことにより、任意の部分からカットする方法等、包装体１０を開封する方法は適宜選択することが可能であり、包装体１０の開封方法は限定されるものではない。
【００２９】
以上のような、包装体１０としては、ピロータイプ、ガゼットタイプ、二方シール、四方シールなどの袋体のみならず、後述する、商品をプラスチックカバーで覆ったものを板形状の紙等に貼りつけた形状からなる包装体など、包装体１０の形状は限定されるものではない。
【００３０】
次に、複数個の包装体１０を一列（直列）に連結した連続包装体５０について説明する。
複数個の包装体１０を直列に連結する方法としては、個々の包装体１０、２０のそれぞれのシール部を互いに貼り合せて連続包装体５０を形成する方法と、個々の包装体１０、２０が、予め連続して形成された連続包装体５０である場合が考えられる。
【００３１】
前者の方法である、個々の包装体１０、２０を、該包装体１０、２０の両端のシール部ａ、ｂにおいて、互いに貼り合せることにより、複数の包装体１０を連結した連続包装体５０を形成する場合、図３に示すように、個々の包装体１０、２０の、シール部の表面と裏面を、若しくは、シール部の裏面同士または表面同士を、互いに重ね合わせて貼り合せることにより、連続包装体５０を形成することが可能である。このように、包装体１０と包装体２０とのシール部ａ、ｂの面を、それぞれ重ねて貼り合せることにより包装体１０、２０を連結した連結部Ｔを、面結合の連結部Ｔ（ａ／ｂ）という。
【００３２】
例えば、図３（ａ）に示すように、包装体１０の下シール部１０ｂの裏面と、包装体２０の下シール部２０ｂの表面とを、互いに重ね合わせて貼り合せることにより、図３（ｂ）に示すように、包装体１０と包装体２０の、それぞれの下シール部１０ｂ、２０ｂにおいて、面結合Ｔ（ｂ／ｂ）した連続包装体５０を形成することができる。
このように、包装体の下シール部ｂ同士を連結することにより、後述する、自立可能な包装体６０を形成した際に、下シール部ｂを含む面を起立面として、包装体６０を起立させた場合、包装体６０の表面と裏面の何れの向きでも、常に印刷の向きを任意の方向に設定することが可能である。
【００３３】
一方、後者の方法である、個々の包装体１０、２０が、予め連続して形成された連続包装体５０である場合は、図４（ａ）に示すように、包装体１０の作製段階で、複数の包装体１０が連結するシール部に、シール部を水平方向に横切るミシン目Ｖ等を形成することにより、該ミシン目Ｖを挟むそれぞれのシール部１０ｂ、２０ｂを有する包装体１０、２０を、個々の包装体１０、包装体２０として分離可能である。このように、シール部をそれぞれ直線状に連結してなる連結部Ｔを、線結合の連結部Ｔ（ｂ−ｂ）という。
【００３４】
何れにせよ連続包装体５０は、個々の包装体１０、２０の両端のシール部ａ、ｂを、線結合の連結部Ｔ（ａ−ｂ）、或いは面結合の連結部Ｔ（ａ／ｂ）を介して、連結したものであれば良く、連続包装体５０の形成方法や連結方法は、内容物の種類、印刷の向き、作成方法や効率等を考慮して、適宜、適した方法により連続包装体５０を形成すれば良い。
【００３５】
次に、上記連続包装体５０から、本発明の自立可能な環状包装体６０を形成する構成を説明する。例えば、２つの包装体からなる連続包装体５０から、自立可能な環状包装体６０を形成した一例を以下に示す。
【００３６】
まず、図４（ａ）に示すような、２つの包装体１０、２０の下シール部ｂが、それぞれ線結合の連結部Ｔ（ｂ−ｂ）により連結してなる連続包装体５０を、図４（ｂ）に示すように、連続包装体５０の、各包装体１０、２０を、前記連結部Ｔ（ｂ−ｂ）を折線として各包装体１０、２０の表面がそれぞれ外方へと向くように各包装体１０、２０を折り込む。
【００３７】
そして、図５（ａ）に示すように、包装体１０の上シール部１０ａの表面と、包装体２０の上シール部２０ａの裏面とを、互いに貼り合せて面結合の連結部Ｔ（ａ／ａ）とすることにより、図５（ｂ）に示すような、環状包装体６０Ｃを形成する。
【００３８】
特に、包装体１０のシール部１０ａと、包装体２０のシール部２０ａとの、表面と裏面とを交互に貼り合せて面結合の連結部Ｔ（ａ／ａ）を形成することにより、側面視において、２つの包装体１０、２０の表面をそれぞれ側辺とし、かつ、線結合の連結部Ｔ（ｂ−ｂ）と面結合の連結部Ｔ（ａ／ａ）とを、それぞれ底辺および上辺とした、略四角形状の包装体６０Ｃを形成することが可能である。このように、複数個の包装体１０、２０を連結してなる、側面視において四角形状の環状包装体６０Ｃを、キューブ（ＣＵＢＥ）ＣＢという。
【００３９】
他方、図６（ａ）に示すように、包装体１０の上シール部１０ａと包装体２０の上シール部２０ａとを互いに貼り合せる際に、裏面同士を貼り合せて面結合の連結部Ｔ（ａ／ａ）を形成した場合、図６（ｂ）に示すように、側面視において、略三角形状の包装体６０Ｔを形成することが可能である。
この場合、２つの包装体１０、２０のそれぞれの表面を斜辺とし、かつ前記面結合の連結部Ｔ（ａ／ａ）を頂点とし、さらには、前記線結合の連結部Ｔ（ｂ−ｂ）を含む面を底辺とした略三角形状の環状包装体６０Ｔを形成することができる。このように、複数個の包装体１０、２０からなる、側面視で三角形状の環状包装体６０Ｔをトライアングル（ＴＲＩＡＮＧＬＥ）ＴＲという。
【００４０】
このように、トライアングルＴＲおよびキューブＣＢの側面形状は、図７（ａ）（ｂ）に示すように、各包装体１０、２０の表面および連結部Ｔを含む面が、側面視において、それぞれ一辺を形成して、三角形状や四角形状の環状包装体６０Ｔ、６０Ｃを形成するものである。
例えばトライアングルＴＲでは、図７（ａ）に示すように、包装体１０、２０の面結合の連結部Ｔ（ａ／ａ）を頂点Ｐとし、包装体１０の表面と、包装体２０の表面とが、それぞれ斜辺Ｓを形成し、さらに、線結合の連結部Ｔ（ｂ−ｂ）を含む面を底辺Ｄとする三角形を形成している。包装体１０と包装体２０とが略等しい形状であれば、トライアングルＴＲの形状が二等辺三角形となり、トライアングルＴＲの重心が、起立面である底辺Ｄの、中点鉛直線上に位置するため、底辺Ｄを起立面として安定した自立が可能となる。
【００４１】
また、キューブＣＢにおいても、図７（ｂ）に示すように、側面視において、包装体１０、２０の表面がそれぞれ四角形の側辺ｓを形成するとともに、線結合の連結部Ｔ（ｂ−ｂ）および面結合の連結部Ｔ（ａ／ａ）が、それぞれ底辺Ｄおよび上辺ｄを形成して、全体が四角形状を形成する。そして、包装体１０と、包装体２０とが略等しい形状であれば、キューブＣＢの形状が直方体若しくは台形となり、その重心が底辺の中点から鉛直線上に位置することにより、底辺Ｄを起立面として安定して自立させることが可能である。
【００４２】
また、トライアングルＴＲおよびキューブＣＢの何れも、図８（ａ）（ｂ）に示すように、底辺Ｄ部分を起立面として自立させることはもちろん、側面部分を起立面としても自立させることが可能である。通常、包装体１０の高さｈは、底辺Ｄの横幅Ｈより長い形状（Ｈ＜ｈ）からなる直方体である。そして、包装体１０の側面部分を起立面として自立させることにより、自立時の高さＨを低く（Ｈ＜ｈ）抑えることが可能である。
【００４３】
また、縦或いは横、何れの置き方においても、収容部３内の内容物が自然に下方へと移動し、これに伴い重心も下方へと移動するため、包装体６０を安定して自立させることが可能である。さらには、トライアングルＴＲでは、側面部分を起立面とし、かつ頂点Ｐと底辺Ｄとを交互に配置することにより、さらなる省スペース化が図れる効果がある。
【００４４】
トライアングルＴＲの場合、側面視において、頂点Ｐは、底辺Ｄの中点の鉛直線上に位置することが好ましく、また、底辺Ｄの横幅ｗは、斜辺Ｓの長さの「０．３〜０．８倍」の範囲内の長さであることが好ましい。よって、角度θの値は「８０〜６５度」の範囲であることが好ましい。
また、キューブＣＢの場合、底辺Ｄの横幅Ｗは、側面部の高さｈの「０．４〜０．６倍」の長さ内であることが好ましい。また、上辺ｄの長さを、底辺Ｄの横幅Ｗの「０．８〜０．５倍」の長さの略台形としても良く、底辺Ｄを起立面とした際に安定して自立させることが可能である。
【００４５】
以上のように、連続包装体５０から環状包装体６０を形成する際に、連続包装体５０の両端のシール部分を連結することで、簡単に環状包装体６０を形成することが可能である。そして、連結部Ｔの連結方法により、環状包装体６０の側面形状を三角形や四角形などの種々形状とすることが可能であり、安定した自立性を有する意匠性の高い環状包装体６０を形成することが可能である。
【００４６】
環状包装体６０を安定して自立させるためには、包装体のシール部ａの長さが極力長いことが望ましく、２つのシール部を連結した際に、起立面を大きく形成することが可能である。しかしながら、包装体１０、２０によっては、シール部ａの長さが短く、２つのシール部ａ、ｂを連結しても、底辺Ｄの長さが上記範囲に満たないことが考えられる。この場合、後述する、個々の包装体１０、２０間に、別途包装体３０を挿入して、該包装体３０を底辺とする起立面としても良い。起立面として別途包装体３０を挿入することにより、商品のおまけや、試供品（サンプル）などの小物を入れるスペースとして活用することも可能である。
【００４７】
また、後述する、各包装体１０、２０の間に、別途、連結面Ｒを挿入して、２つの包装体１０、２０を連結しても良く、これにより、底辺Ｄの横幅（ｗ、Ｗ）を上記範囲内とすることが可能であり、起立面を大きく形成することが可能である。
【００４８】
例えば、個々の包装体１０、２０間に、別途包装体３０を挿入して、該包装体３０を底辺とする起立面とした場合、図９に示すように、異なる内容物α（飴）、β（おまけ）、γ（Ａとは異なる飴）を収容した３つの包装体１０、３０、２０を、それぞれ線結合Ｔ（ａ−ｂ）とＴ（ｂ−ｂ）とにより連結して、連続包装体５０を形成する。このとき、各包装体１０、３０、２０に施された印刷の向きをそれぞれ異ならせることにより、後述する（段落００５４）、環状包装体６０の自立方向を変えても印刷の向きが正位置となり、様々な自立方向にも陳列対応可能である。
【００４９】
そして、３つの包装体１０、３０、２０からなる連続包装体５０から、トライアングルＴＲを形成する場合は、包装体１０の上シール部ａの裏面と、包装体２０の上シール部ａの裏面とを、互いに貼り合せて面結合の連結部Ｔ（ａ／ａ）とすることにより、図１０（ａ）に示すような、三角形状の環状包装体６０Ｔを形成することが可能である。そして、中央の包装体３０を起立面として自立可能である。
【００５０】
他方、キューブＣＢを形成する場合は、包装体１０のシール部１０ａの表面と、包装体２０の上シール部２０ａの裏面とを、重ねて貼り合せて面結合の連結部Ｔ（ａ／ａ）を形成することにより、図１０（ｂ）に示すような、３つの包装体１０、３０、２０からなる、側面視において四角形状を有する自立可能なキューブＣＢを形成することができる。
このように、シール部を重ねて貼り合せて面結合の連結部Ｔ（ａ／ａ）を形成する際に、裏面同士若しくは表面と裏面とすることで、簡単に三角形状のトライアングルＴＲや、四角形状のキューブＣＢを作り分けることが可能である。
【００５１】
さらに、本発明の自立可能な包装体として、大小さまざまな形状を有する、４つの包装体４０、１０、３０、２０を複数連結して、１つの自立可能な環状包装体６０を形成してもよい。
【００５２】
この場合、図１１に示すように、それぞれの包装体４０、１０、３０、２０を、それぞれ線結合の連結部Ｔ（ｂ−ｂ）、Ｔ（ａ−ａ）、Ｔ（ａ−ｂ）により一列に連結した連続包装体５０を形成する。特に、各包装体４０、１０、３０、２０の表面に施された印刷の方向を、縦方向、横方向とそれぞれ異ならせることにより、後述する、様々な陳列方向にも対応可能である。
【００５３】
そして、図１２（ａ）に示すように、各包装体４０、１０、３０、２０を折り込んだ後、連続包装体５０の両端部分である、包装体４０のシール部４０ａと、包装体２０の下シール部２０ｂとを、線結合の連結部Ｔ（ａ−ｂ）で連結することにより、図１２（ｂ）に示すように、４つの包装体４０、１０、３０、２０からなる自立可能な四角形状の環状包装体６０Ｃ（キューブＣＢ）を形成することができる。
【００５４】
そして、このキューブＣＢを横向きに置いた場合、図１３（ａ）に示すように、包装体１０の印刷「Ａ」の向きが正方向となり、また、キューブを縦向きに置いた場合、図１３（ｂ）に示すように、包装体２０の印刷「Ｂ」の向きが正方向となる。
また、包装体２０の表面を起立面とした場合、図１３（ｃ）に示すように、包装体３０の印刷「Ｃ」の向きが正方向となる。
また、キューブＣＢの側面部分を起立面として置いた場合、図１３（ｄ）に示すように、包装体４０の印刷「Ｄ」の向きが正方向となる。
【００５５】
このように、環状包装体６０を構成する各包装体４０、１０、３０、２０に施された印刷の向きを、縦方向や横方向とそれぞれ異ならせることにより、環状包装体６０の自立方向を問わず常に印刷方向を任意の方向に設定することが可能である。そしてキューブＣＢの場合、４面それぞれに施される印刷の向きは、各面それぞれ上下左右の４方向が考えられるため、計４の４乗パターンすなわち２５６通りとすることが可能である。
【００５６】
以上のように、複数の包装体１０を、縦方向若しくは横方向へと一列に連結した連続包装体５０の上下端（両端部分）を、それぞれ連結して環状包装体６０を形成することにより、自立可能な環状包装体６０を形成することが可能である。
そして、前記連続包装体５０を構成する各包装体１０、２０、３０の表面１に施された印刷の方向を、縦方向や横方向と、異ならせることにより、縦方向に自立させても、横方向に自立させても、印刷の向きを常に正方向とすることが可能であり、さらには、使用方法、効能、バーコード、賞味期限、成分表示等の情報を、デザインに応じて多面的に表示することが可能である。
【００５７】
さらには、環状包装体６０の一部に、フック等により包装体６０を吊り下げるための吊り下げ用の孔を形成して、包装体６０を吊り下げても良く、包装体６０が一列に下方向へと伸びてしまうことがないため、省スペース化が図れる。
【００５８】
本発明の自立可能な包装体６０を陳列した一例としては、図１４に示すように、キューブＣＢを縦方向に自立させた商品「Ｅ」、横方向に自立させた商品「Ｆ」、横方向に自立させ、かつ底面を手前側に向けて陳列した商品「Ｇ」や、トライアングルＴＲを縦方向に自立させた商品「Ｊ」、横方向に自立させ、かつ頂点を交互に配置した商品「Ｋ」、横向きに自立させ、かつ底面を手前側に向け、かつ頂点を交互に配置した商品「Ｌ」や、さらには、２つの包装体からなるトライアングルＴＲの頂点に吊下げ孔を形成してフックに吊下げた商品「Ｈ」や、３つの包装体からなるトライアングルの頂点に吊下げ孔を形成してフックに吊下げた商品「Ｉ」など、縦向き、横向き、吊り下げ等の様々な陳列方法に対応可能であり、優れた意匠性と、陳列性、さらには分包性を兼ね備える、ディスプレイ効果の高い包装体６０を提供することが可能である。また、商品棚の高さや、幅や、形状に合わせた陳列を行なうことも可能であり、さらなる省スペース化が図れる効果もある。
【００５９】
また、商品購入後、環状包装体６０を冷蔵庫等の限られた空間に収納する際にも、図１５に示すように、庫内の高さや幅に応じて、効率良く商品を配列することが可能であり、整理性が良く省スペース化が図れる効果がある。
【００６０】
上記例においては、環状包装体６０を構成する各包装体１０、２０、３０、４０が軟包装の袋体である例を示したが、本発明の自立可能な包装体６０は、これに限らず、例えば、図１６に示すように、板形状の厚紙Ｚに、商品をプラスチックカバーＹにより覆ったものを貼り付けた形状からなる包装体１００、２００であっても良い。
【００６１】
この場合、図１６（ａ）に示すように、連結面Ｒを介して２つの包装体１００、２００を連結した連続包装体５０を形成した後、２つの包装体１００、２００を連結面Ｒとの境界線に沿って折り込むとともに、包装体１００の上シール部１００ａと包装体２００の上シール部２００ａとの裏面同士を貼り合せて面結合の連結部Ｔ（ａ／ａ）とすることにより、図１６（ｂ）に示すように、側面視において、三角形状の包装体６０Ｔを形成しても良く、さらには、包装体１００の上シール部１００ａの裏面と、包装体２００の上シール部２００ａの表面とを貼り合せて面結合の連結部Ｔ（ａ／ａ）とすることにより、図１６（ｃ）に示すように、側面視において、四角形状からなる自立可能な包装体６０Ｃを形成しても良い。
【００６２】
さらには、図１７に示すように、複数の異なる包装体１００、３００、２００を、連結部Ｔによりそれぞれ連結して環状包装体６０を形成することにより、見た目の美しさのみならず、実用性に優れ、かつ楽しく斬新なイメージの自立可能な包装体６０を提供することが可能である。
【００６３】
以上のように、本発明の自立可能な包装体は、複数の包装体が一列に連結してなる連続包装体５０の両端部分を、それぞれ連結してなる環状包装体６０を形成して、該環状包装体６０の連結部Ｔを含む面、若しくは包装体の表面、若しくは環状包装体の側面部分を起立面として自立可能である。
よって、個々の包装体を効率的に分包することが可能であるとともに、包装体が自立可能であるから、従来のような包装体内部にパーテーション等を設けてアソートする場合や、箱等に個々の包装体を収容するなど、余分な包装や箱等を必要とせず、簡易包装であり、省資源かつ環境に配慮した効率的な分包が可能である。また、包装体は樹脂フィルムに限らず、紙を用いて形成しても良く、より環境に配慮した自立可能な包装体を提供することが可能である。さらには、同素材の包装資材を使用して包装体６０を形成することにより、消費者がゴミを分別して廃棄する手間が省ける。
【００６４】
前記包装体１０としては、従来のピロータイプやガゼットタイプの袋体１０のみならず、商品を板状の厚紙に貼りつけた包装体１００など、包装体１０の形状は限定されず、様々な形状の包装体１０に適用可能である。また、包装体１０の連結個数は、内容物や、用途によって、適宜、調整可能であり、２個以上の包装体を連結すればよく、その個数は限定されるものではない。
【００６５】
さらに、上記例においては、説明の都合上、環状包装体の外側の面を個々の包装体の表面とした場合の例を示したが、包装体を一列に連結する際に、個々の包装体の表面若しくは裏面の向きは適宜変更可能であり、上記例に限定されるものではない。また、連続包装体の両端部分を連結する際にも、連結するシール部の表面、裏面にかかわらず環状包装体を形成可能であれば、連結するシール部の面は限定されるものではない。
【図面の簡単な説明】
【００６６】
【図１】本発明の自立可能な包装体（環状包装体）の一例を示す図である。
【図２】包装体の（ａ）正面を示す（ｂ）背面を示す斜視図である。
【図３】（ａ）（ｂ）面結合の連結部により連続包装体を形成する一例を示す図である。
【図４】（ａ）（ｂ）連続包装体から環状包装体を形成する一例を示す図である。
【図５】（ａ）（ｂ）四角形状の環状包装体を形成する一例を示す図である。
【図６】（ａ）（ｂ）三角形状の環状包装体を形成する一例を示す図である。
【図７】（ａ）トライアングルの側面図（ｂ）キューブの側面図である。
【図８】（ａ）複数個のトライアングルを横向き、縦向きに自立させた例を示す説明図である。  （ｂ）複数個のキューブを横向き、縦向きに自立させた例を示す説明図である。
【図９】３つの包装体からなる連続包装体の一例を示す説明図である。
【図１０】（ａ）３つの包装体からなる環状包装体（トライアングル）を示す図である。  （ｂ）３つの包装体からなる環状包装体（キューブ）を示す図である。
【図１１】４つの包装体からなる連続包装体の一例を示す説明図である。
【図１２】（ａ）（ｂ）連続包装体から環状包装体（キューブ）を形成する一例を示す図である。
【図１３】（ａ）キューブの側面部分を起立面として置いた例を示す図である。  （ｂ）キューブを連結部を含む面を起立面として置いた例を示す図である。  （ｃ）キューブの包装体の表面を起立面として置いた例を示す図である。  （ｄ）キューブの側面部分を起立面として置いた例を示す図である。
【図１４】本発明の自立可能な包装体（環状包装体）を陳列した場合の一例を示す図である。
【図１５】本発明の自立可能な包装体（環状包装体）を収納した場合の一例を示す図である。
【図１６】（ａ）連続包装体の別の例を示す図である。  （ｂ）三角形状の環状包装体を形成した一例を示す図である。  （ｃ）四角形状の環状包装体を形成した一例を示す図である。
【図１７】本発明の自立可能な包装体（環状包装体）の一例を示す図である。
【図１８】（ａ）（ｂ）従来の包装体の陳列時の一例を示す図である。
【図１９】従来の包装体の陳列時の一例を示す図である。
【符号の説明】
【００６７】
１  表面
２  裏面
３  収容部
４  背貼りシール
１０、２０、３０、４０  包装体（個々の包装体）
５０  連続包装体
６０  環状包装体（自立可能な包装体）
６０Ｔ、ＴＲ  側面視で略三角形状の環状包装体（トライアングル）
６０Ｃ、ＣＢ  側面視で略四角形状の環状包装体（キューブ）
１００、２００、３００  包装体
ａ  上シール部（シール部）
ｂ  下シール部（シール部）
Ｔ  連結部
Ｔ（ａ−ｂ）、Ｔ（ａ−ａ）、Ｔ（ｂ−ｂ）  線結合の連結部（連結部）
Ｔ（ａ／ｂ）、Ｔ（ａ／ａ）、Ｔ（ｂ／ｂ）  面結合の連結部（連結部）
Ｖ  ミシン目
Ｚ  板状の厚紙
Ｙ  プラスチックカバー
【図１】
2008018994.tif 000003
【図２】
2008018994.tif 000004
【図３】
2008018994.tif 000005
【図４】
2008018994.tif 000006
【図５】
2008018994.tif 000007
【図６】
2008018994.tif 000008
【図７】
2008018994.tif 000009
【図８】
2008018994.tif 000010
【図９】
2008018994.tif 000011
【図１０】
2008018994.tif 000012
【図１１】
2008018994.tif 000013
【図１２】
2008018994.tif 000014
【図１３】
2008018994.tif 000015
【図１４】
2008018994.tif 000016
【図１５】
2008018994.tif 000017
【図１６】
2008018994.tif 000018
【図１７】
2008018994.tif 000019
【図１８】
2008018994.tif 000020
【図１９】
2008018994.tif 000021